(57)【特許請求の範囲】
【請求項１】
移動端末へ、および／または、移動端末からデータを通信するための移動通信ネットワークであって、
前記移動端末へ、および／または、移動端末からデータを通信するための無線アクセスインターフェースを動作中に提供する送信機および受信機と、前記データを通信するために前記移動端末に前記無線アクセスインターフェースの通信リソースを割当てるスケジューラと、を含む基地局を備え、
前記無線アクセスインターフェースは、
前記移動端末へまたは前記移動端末からデータを通信するための共有チャネルと、ここで、前記共有チャネルは、前記基地局の前記スケジューラによって前記移動端末に割り当てられる複数の通信リソースに時間において分けられ、
前記移動端末にリソース割当てメッセージを通信するための共有制御チャネルと、ここで、複数の移動端末は複数の異なるグループに分けられ、を提供し、
前記移動通信ネットワークは、
前記共有チャネルの通信リソースの複数のユニットからなるスーパーフレームを形成し、
前記移動端末の各々を１または２以上のグループに割り当て、
前記移動通信ネットワークにより前記移動端末に割り当てられた識別番号とショート識別番号との対応関係を前記移動端末のグループの各々の各移動端末に提供する制御情報を前記スーパーフレームの先頭の通信リソースのユニットにおいて送信し、前記スーパーフレームにおける以降の共有制御チャネルにおいて、前記グループの１つにおける前記移動端末の各々に前記通信リソースのユニットを割当てるために前記ショート識別番号が用いられる、移動通信ネットワーク。
【請求項２】
前記リソース割当てメッセージは、前記移動通信ネットワークから前記移動端末に前記共有チャネル上で前記通信リソースのユニットを割当てるために送信され、
前記リソース割当てメッセージは、前記スーパーフレームの１つについて前記移動端末のグループの１つに識別番号に代えて前記ショート識別番号を含み前記通信リソースのユニットを割当てるように構成される、請求項１に記載の移動通信ネットワーク。
【請求項３】
前記制御情報は、
端末の第１のグループにおける複数の移動端末の各々に、第１のスーパーフレームについて前記第１のグループにおける１または２以上の移動端末に通信リソースのユニットを割当てるために用いられる、前記移動通信ネットワークにより前記移動端末に割り当てられた前記識別番号に関連する、ショート識別番号を提供し、
端末の第２のグループにおける複数の移動端末の各々に、第２のスーパーフレームについて前記第２のグループにおける移動端末に通信リソースのユニットを割当てるために用いられる、前記移動通信ネットワークにより前記移動端末に割り当てられた前記識別番号に関連する、ショート識別番号を提供する、請求項２に記載の移動通信ネットワーク。
【請求項４】
前記第１のスーパーフレームにおける前記ショート識別番号の１つは、前記第２のスーパーフレームにおける端末の前記第２のグループから異なる移動端末を識別するために割り当てられる、請求項３に記載の移動通信ネットワーク。
【請求項５】
前記制御情報は、前記スーパーフレームに含まれる前記通信リソースのユニットの指示情報を含む、請求項１〜４のいずれか一項に記載の移動通信ネットワーク。
【請求項６】
前記指示情報は、連続するスーパーフレームに含まれる通信リソースのユニットの数を提供し、前記スーパーフレームの１つの最初のユニットを示す、請求項５に記載の移動通信ネットワーク。
【請求項７】
前記移動通信ネットワークは、前記第１のスーパーフレームにおいて移動端末の前記第１のグループのメンバーでない前記第２のグループの移動端末の１つに、前記移動端末の前記識別番号を含むリソース割当てメッセージを送信する、請求項３に記載の移動通信ネットワーク。
【請求項８】
前記移動通信ネットワークは、前記識別番号に対応する１または２以上の端末の少なくともプロフィールに基づいて前記グループを選択する、請求項１〜７のいずれか一項に記載の移動通信ネットワーク。
【請求項９】
前記グループを選択することは、前記識別番号に対応する１または２以上の端末から見込まれる少なくともトラフィック量および／またはタイプに基づいて前記移動端末の前記グループを選択することを含む、請求項８に記載の移動通信ネットワーク。
【請求項１０】
前記スーパーフレームのタイミングおよび前記スーパーフレームの期間は、１または２以上の端末、または端末のグループのページングサイクルまたは間欠受信サイクルと一致する、請求項１〜９のいずれか一項に記載の移動通信ネットワーク。
【請求項１１】
前記識別番号はＲＮＴＩである、請求項１〜１０のいずれか一項に記載の移動通信ネットワーク。
【請求項１２】
移動通信ネットワークにおいて移動端末へ、および／または、移動端末からデータを通信するための方法であって、
前記移動端末へ、および／または、移動端末からデータを通信するための無線アクセスインターフェースを前記移動通信ネットワークの１または２以上の基地局から提供することを含み、
前記無線アクセスインターフェースは、
前記移動端末へまたは前記移動端末からデータを通信するための共有チャネルと、ここで、前記共有チャネルは、前記基地局のスケジューラによって前記移動端末に割り当てられる複数の通信リソースに時間において分けられ、
前記移動端末にリソース割当てメッセージを通信するための共有制御チャネルと、ここで、複数の移動端末は複数の異なるグループに分けられ、
前記共有チャネルの通信リソースの複数のユニットからなるスーパーフレームを形成すること、
前記移動端末の各々を１または２以上のグループに割り当てること、
前記移動通信ネットワークにより前記移動端末に割り当てられた識別番号とショート識別番号との対応関係を前記移動端末のグループの各々の各移動端末に提供する制御情報を前記スーパーフレームの先頭の通信リソースのユニットにおいて送信すること、を含み、
前記スーパーフレームにおける以降の共有制御チャネルにおいて、前記グループの１つにおける前記移動端末の各々に前記通信リソースのユニットを割当てるために前記ショート識別番号が用いられる、方法。
【請求項１３】
前記リソース割当てメッセージを前記移動通信ネットワークから前記移動端末に前記共有チャネル上で前記通信リソースのユニットを割当てるために送信すること、
前記リソース割当てメッセージを、前記スーパーフレームの１つについて前記移動端末のグループの１つに識別番号に代えて前記ショート識別番号を含み前記通信リソースのユニットを割当てるように構成すること、を含む、請求項１２に記載の方法。
【請求項１４】
前記制御情報は、
端末の第１のグループにおける複数の移動端末の各々に、第１のスーパーフレームについて前記第１のグループにおける１または２以上の移動端末に通信リソースのユニットを割当てるために用いられる、前記移動通信ネットワークにより前記移動端末に割り当てられた前記識別番号に関連する、ショート識別番号の前記制御情報を送信すること、
端末の第２のグループにおける複数の移動端末の各々に、第２のスーパーフレームについて前記第２のグループにおける移動端末に通信リソースのユニットを割当てるために用いられる、前記移動通信ネットワークにより前記移動端末に割り当てられた前記識別番号に関連する、ショート識別番号の前記制御情報を送信すること、を含む、請求項１３に記載の方法。
【請求項１５】
前記第１のスーパーフレームにおける前記ショート識別番号の１つを、前記第２のスーパーフレームにおける端末の前記第２のグループから異なる移動端末を識別するために割り当てることを含む、請求項１４に記載の方法。
【請求項１６】
前記制御情報は、前記スーパーフレームに含まれる前記通信リソースのユニットの指示情報を含む、請求項１２〜１５のいずれか一項に記載の方法。
【請求項１７】
前記制御情報は、連続するスーパーフレームに含まれる通信リソースのユニットの数を提供し、前記スーパーフレームの１つの最初のユニットを示す、請求項１６に記載の方法。
【請求項１８】
前記第１のスーパーフレームにおいて移動端末の前記第１のグループのメンバーでない前記第２のグループの移動端末の１つに、前記移動端末の前記識別番号を含むリソース割当てメッセージを送信することを含む、請求項１４に記載の方法。
【請求項１９】
前記識別番号に対応する１または２以上の端末の少なくともプロフィールに基づいて前記グループを選択することを含む、請求項１２〜１８のいずれか一項に記載の方法。
【請求項２０】
前記グループを選択することは、前記識別番号に対応する１または２以上の端末から見込まれる少なくともトラフィック量および／またはタイプに基づいて前記移動端末の前記グループを選択することを含む、請求項１９に記載の方法。
【請求項２１】
前記スーパーフレームのタイミングおよび前記スーパーフレームの期間は、１または２以上の端末、または端末のグループのページングサイクルまたは間欠受信サイクルと一致する、請求項１２〜２０のいずれか一項に記載の方法。
【請求項２２】
前記識別番号はＲＮＴＩである、請求項１２〜２１のいずれか一項に記載の方法。
【請求項２３】
移動端末へ、および／または、移動端末からデータを通信するための移動通信ネットワークの基盤設備であって、
前記移動端末へ、および／または、移動端末からデータを通信するための無線アクセスインターフェースを動作中に提供する送信機および受信機と、前記データを通信するために前記移動端末に前記無線アクセスインターフェースの通信リソースを割当てるスケジューラと、を備え、
前記無線アクセスインターフェースは、
前記移動端末へまたは前記移動端末からデータを通信するための共有チャネルと、ここで、前記共有チャネルは、前記基盤設備の前記スケジューラによって前記移動端末に割り当てられる複数の通信リソースに時間において分けられ、
前記移動端末にリソース割当てメッセージを通信するための共有制御チャネルと、ここで、複数の移動端末は複数の異なるグループに分けられ、を提供し、
前記基盤設備は、
前記移動通信ネットワークにより前記移動端末に割り当てられた識別番号とショート識別番号との対応関係を前記移動端末の１または２以上のグループの各々の各移動端末に提供する制御情報を前記共有チャネルの通信リソースの複数のユニットからなるスーパーフレームの先頭の通信リソースのユニットにおいて送信し、前記スーパーフレームにおける以降の共有制御チャネルにおいて、前記移動端末に前記通信リソースのユニットを割当てるために、１または２以上の移動端末を識別するための１または２以上のショート識別番号を含むリソース割当てメッセージを送信する、ように構成される、基盤設備。
【請求項２４】
前記リソース割当てメッセージは、前記移動端末に前記共有チャネル上で前記通信リソースのユニットを割当てるために送信され、
前記リソース割当てメッセージは、前記スーパーフレームの１つについて前記移動端末のグループの１つに識別番号に代えて前記ショート識別番号を含み前記通信リソースのユニットを割当てるように構成される、請求項２３に記載の基盤設備。
【請求項２５】
前記制御情報は、
端末の第１のグループにおける複数の移動端末の各々に、第１のスーパーフレームについて前記第１のグループにおける１または２以上の移動端末に通信リソースのユニットを割当てるために用いられる、前記移動通信ネットワークにより前記移動端末に割り当てられた前記識別番号に関連する、ショート識別番号を提供し、
端末の第２のグループにおける複数の移動端末の各々に、第２のスーパーフレームについて前記第２のグループにおける移動端末に通信リソースのユニットを割当てるために用いられる、前記移動通信ネットワークにより前記移動端末に割り当てられた前記識別番号に関連する、ショート識別番号を提供する、請求項２４に記載の基盤設備。
【請求項２６】
前記第１のスーパーフレームにおける前記ショート識別番号の１つは、前記第２のスーパーフレームにおける端末の前記第２のグループから異なる移動端末を識別するために割り当てられる、請求項２５に記載の基盤設備。
【請求項２７】
前記制御情報は、前記スーパーフレームに含まれる前記通信リソースのユニットの指示情報を含む、請求項２４、２５または２６に記載の基盤設備。
【請求項２８】
前記指示情報は、連続するスーパーフレームに含まれる通信リソースのユニットの数を提供し、前記スーパーフレームの１つの最初のユニットを示す、請求項２７に記載の基盤設備。
【請求項２９】
前記基盤設備は、前記第１のスーパーフレームにおいて移動端末の前記第１のグループのメンバーでない前記第２のグループの移動端末の１つに、前記移動端末の前記識別番号を含むリソース割当てメッセージを送信する、請求項２５に記載の基盤設備。
【請求項３０】
前記基盤設備は、前記識別番号に対応する１または２以上の端末の少なくともプロフィールに基づいて前記グループを選択する、請求項２４〜２９のいずれか一項に記載の基盤設備。
【請求項３１】
前記グループを選択することは、前記識別番号に対応する１または２以上の端末から見込まれる少なくともトラフィック量および／またはタイプに基づいて前記移動端末の前記グループを選択することを含む、請求項３０に記載の基盤設備。
【請求項３２】
前記スーパーフレームのタイミングおよび前記スーパーフレームの期間は、１または２以上の端末、または端末のグループのページングサイクルまたは間欠受信サイクルと一致する、請求項２４〜３１のいずれか一項に記載の基盤設備。
【請求項３３】
前記識別番号はＲＮＴＩである、請求項２４〜３２のいずれか一項に記載の基盤設備。
【請求項３４】
移動端末へ、および／または、移動端末からデータを通信するための移動通信ネットワークにおける基盤設備の動作の方法であって、
前記移動端末へ、および／または、移動端末からデータを通信するための無線アクセスインターフェースを前記基盤設備から提供すること、
前記データを通信するために前記移動端末に前記無線アクセスインターフェースの通信リソースを割当てること、を含み、
前記無線アクセスインターフェースは、
前記移動端末へまたは前記移動端末からデータを通信するための共有チャネルと、ここで、前記共有チャネルは、前記基盤設備のスケジューラによって前記移動端末に割り当てられる複数の通信リソースに時間において分けられ、
前記移動端末にリソース割当てメッセージを通信するための共有制御チャネルと、ここで、複数の移動端末は複数の異なるグループに分けられ、を提供し、
前記方法は、
前記移動通信ネットワークにより前記移動端末に割り当てられた識別番号とショート識別番号との対応関係を前記移動端末の１または２以上のグループの各々の各移動端末に提供する制御情報を前記共有チャネルの通信リソースの複数のユニットからなるスーパーフレームの先頭の通信リソースのユニットにおいて送信すること、
前記スーパーフレームにおける以降の共有制御チャネルにおいて、前記移動端末に前記通信リソースのユニットを割当てるために、１または２以上の移動端末を識別するための１または２以上のショート識別番号を含むリソース割当てメッセージを送信する、ように構成される、方法。
【請求項３５】
前記リソース割当てメッセージを送信することは、前記移動端末に前記共有チャネル上で前記通信リソースのユニットを割当てるために送信すること、および、前記スーパーフレームの１つについて前記移動端末のグループの１つに識別番号に代えて前記ショート識別番号を含み前記通信リソースのユニットを割当てるように前記リソース割当てメッセージを構成することを含む、請求項３４に記載の方法。
【請求項３６】
前記制御情報は、
端末の第１のグループにおける複数の移動端末の各々に、第１のスーパーフレームについて前記第１のグループにおける１または２以上の移動端末に通信リソースのユニットを割当てるために用いられる、前記移動通信ネットワークにより前記移動端末に割り当てられた前記識別番号に関連する、ショート識別番号を提供し、
端末の第２のグループにおける複数の移動端末の各々に、第２のスーパーフレームについて前記第２のグループにおける移動端末に通信リソースのユニットを割当てるために用いられる、前記移動通信ネットワークにより前記移動端末に割り当てられた前記識別番号に関連する、ショート識別番号を提供する、請求項３４に記載の方法。
【請求項３７】
前記第１のスーパーフレームにおける前記ショート識別番号の１つは、前記第２のスーパーフレームにおける端末の前記第２のグループから異なる移動端末を識別するために割り当てられる、請求項３６に記載の方法。
【請求項３８】
前記制御情報は、前記スーパーフレームに含まれる前記通信リソースのユニットの指示情報を含む、請求項３４、３５または３６に記載の方法。
【請求項３９】
前記指示情報は、連続するスーパーフレームに含まれる通信リソースのユニットの数を提供し、前記スーパーフレームの１つの最初のユニットを示す、請求項３８に記載の方法。
【請求項４０】
前記第１のスーパーフレームにおいて移動端末の前記第１のグループのメンバーでない前記第２のグループの移動端末の１つに、前記移動端末の前記識別番号を含むリソース割当てメッセージを送信することを含む、請求項３６に記載の方法。
【請求項４１】
前記識別番号に対応する１または２以上の端末の少なくともプロフィールに基づいて前記グループを選択することを含む、請求項３４〜４０のいずれか一項に記載の方法。
【請求項４２】
前記グループを選択することは、前記識別番号に対応する１または２以上の端末から見込まれる少なくともトラフィック量および／またはタイプに基づいて前記移動端末の前記グループを選択することを含む、請求項４１に記載の方法。
【請求項４３】
前記スーパーフレームのタイミングおよび前記スーパーフレームの期間は、１または２以上の端末、または端末のグループのページングサイクルまたは間欠受信サイクルと一致する、請求項３４〜４２のいずれか一項に記載の方法。
【請求項４４】
前記識別番号はＲＮＴＩである、請求項３４〜４２のいずれか一項に記載の方法。
【発明の詳細な説明】
【技術分野】
【０００１】
本発明は、移動通信端末への、または移動端末からのデータ通信のための移動通信ネットワーク、基盤設備、移動通信端末およびデータパケットの通信方法に関する。
【背景技術】
【０００２】
移動体通信システムは、過去約１０年間にわたりＧＳＭ（Global  System  for  Mobiles）システムから３Ｇシステムへと進化し、今や回線交換通信だけでなくパケットデータ通信も含む。第３世代プロジェクトパートナーシップ（３ＧＰＰ）は、より早期の移動体通信ネットワークアーキテクチャのコンポーネントと、ダウンリンク上の直交周波数分割多重（ＯＦＤＭ：Orthogonal  Frequency  Division  Multiplexing）及びアップリンク上のシングルキャリア周波数分割多元アクセス（ＳＣ−ＦＤＭＡ：Single  Carrier  Frequency  Division  Multiple  Access）に基づく無線アクセスインターフェースとの統合に基づいてコアネットワーク部分がより簡略化されたアーキテクチャを形成するように進化させられたＬＴＥ（Long  Term  Evolution）と呼ばれる移動体通信システムを発展させることを開始した。コアネットワークコンポーネントは、強化されたパケット通信システムに従ってデータパケットを伝達（communicate）するように構成される。
【０００３】
現在の移動体通信サービスは、人対人（Ｈ２Ｈ：human  to  human）の通信、即ち、ある人により別の人へ送信されるデータ又は少なくとも人間への提示のために送信されるデータ、が優位を占めている。マシンタイプ通信（ＭＴＣ：machine  type  communications）、又はマシン対マシン（Ｍ２Ｍ：machine  to  machine）通信と一般に呼ばれるマシンへの通信及び／又はマシンからの通信に応じる（cater）ことへの要望が存在することが今や認識されている。ＭＴＣ通信は、例えばマシンの何らかの属性、又は何らかのモニタリングされるパラメータ、又はいわゆるスマートメータを報告する何らかの他の刺激（stimulus）又はイベントに応じて、自動的にソースから生成されたデータを伝達することとして特徴付けられることができる。したがって、音声等の人間の通信は、間に中断を挟む数ミリ秒のバーストでデータが生成される数分の通信セッションを要求する通信として特徴付けられ、又は、ビデオは、実質的に一定のビットレートでのストリーミングデータとして特徴付けられることができる一方、ＭＴＣ通信は、少量のデータを散発的に伝達することとして一般に特徴付けられることができる。ただし、多種多様なＭＴＣ通信の候補も存在することが理解されるであろう。
【０００４】
理解されるように、もっぱらではないがとりわけＭＴＣ通信装置により生成されるデータパケットを伝達することにより表される挑戦の点で効率的に動作することができる移動体通信システム及びネットワークを提供することが一般的に望ましい。
【発明の概要】
【０００５】
本発明によれば、移動端末へ、および／または、移動端末からデータを通信するための移動通信ネットワークが提供される。前記移動通信ネットワークは、前記移動端末へ、および／または、移動端末からデータを通信するための無線アクセスインターフェースを動作中に提供する送信機および受信機と、前記データを通信するために前記移動端末に前記無線アクセスインターフェースの通信リソースを割当てるスケジューラと、を含む基地局を備える。前記無線アクセスインターフェースは、前記移動端末へまたは前記移動端末からデータを通信するための共有チャネルと、ここで、前記共有チャネルは、前記基地局の前記スケジューラによって前記移動端末に割り当てられる複数の通信リソースに時間において分けられ、前記移動端末にリソース割当てメッセージを通信するための共有制御チャネルと、ここで、複数の移動端末は複数の異なるグループに分けられ、を提供する。前記移動通信ネットワークは、前記共有チャネルの通信リソースの複数のユニットからなるスーパーフレームを形成し、前記移動端末の各々を１または２以上のグループに割り当て、前記移動通信ネットワークにより前記移動端末に割り当てられた識別番号に関連するショート識別番号を前記移動端末のグループの各々の各移動端末に提供する制御情報を送信し、前記スーパーフレームの１つについて前記グループの１つにおける前記移動端末の各々に前記通信リソースのユニットを割当てるために前記ショート識別番号が用いられる。
【０００６】
本発明の実施形態は、データを通信するための共有チャネルのリソースを移動通信装置に割り当てるリソース割当てメッセージのサイズを減少させるための構成が提供される移動通信ネットワークまたはシステムを提供することができる。その結果、通信端末に割当メッセージが通信される効率を改善することができる。これは、各スーパーフレームについてグループの各端末にショート識別番号を用いることにより、リソースを割当てるために移動端末と通信する必要のあるデータ量を縮小できる結果である。代わりに、または加えて、リソース割当てメッセージは慣例的な割当メッセージを利用可能であり得る同一の周波数幅でより頻繁に送信され得る。
【０００７】
ある例では、グループ内の各通信端末へのショート識別番号の割当は、複数のスーパーフレームについて行われてもよく、または、スーパーフレームへの端末のグループの割当と相関が無くてもよい。
【０００８】
上述したように、リソース割当てメッセージのサイズの縮小は、短縮された識別子の移動端末へのスーパーフレーム単位であり得る割当により達成される。移動端末は複数のグループに分けられ、１または２以上のスーパーフレームについて、慣例的に移動端末へのリソース割当てのために使用および割り当てられた識別番号に関連して１つのグループの移動端末の各々にショート識別子が割り当てられる。このため、スーパーフレーム期間において、グループの移動端末へリソースを割当てるために使用され得る。次のスーパーフレームにおいては、可能性としては移動端末の異なるグループにショート識別子が割り当てられる。このため、スーパーフレーム間で同じショート識別子が異なる移動端末に割り当てられるように再利用されるので、ショート識別子は数ビットのように識別番号よりも小さい量のデータであってもよい。ある例においては複数のグループは相互排他的であるので１つの移動端末は１つのグループにのみ割り当てられるが、他の例においては移動端末は複数のグループに割り当てられてもよい。
【０００９】
各グループの移動端末へのショート識別子の割当は１または２以上のスーパーフレーム単位で行われ得るが、スーパーフレームにつき端末の１つのグループのみがショート識別子を使用することができる。
【００１０】
スーパーフレームは、時間において繰り返しフレームを分けることにより形成されるリソースの複数のユニットからなり、これは時間分割と等価であり得る。ある例では、上記ユニットはフレームのサブフレームであり、スーパーフレームはサブフレームの繰り返されるセットから形成され、フレームより大きくてもよい。
【００１１】
理解されるように、現在のスーパーフレームについてショート識別子が割り当てられていないグループに移動端末が属する場合、通信リソースが割り当てられる前に長く待つ必要が生じ得る。しかし、基地局は、移動端末に通信されるべきいくつかの時間臨界データを有し得る。従って、ある例では、現在のスーパーフレームで移動端末にショート識別子が割り当てられていない場合、基地局は、共有制御チャネルを介して移動端末に移動端末の識別番号を含むリソース割当てメッセージを通信してもよい。
【００１２】
ある実施形態によれば、リソース割当てメッセージにおいてショート識別子によって置き換えられる識別番号は、ＲＮＴＩまたは同様のものであってもよい。
【００１３】
本発明のさらなる態様及び特徴は添付のクレームによてい明らかにされ、基盤要素、移動端末および方法を含む。
【図面の簡単な説明】
【００１４】
同様の部分が同じ参照符号を有する添付の図面を参照しつつ、本発明の例示的な実施形態が説明されるであろう。
【図１】３ＧＰＰ  ＬＴＥ（Long  Term  Evolution）標準に従って動作する通信システムを形成する移動体通信ネットワーク及び移動体通信装置の概略的なブロック図である。
【図２】サブフレームを含むダウンリンク周波数キャリアの概略図である。
【図３】アップリンクおよびダウンリンクの移動ネットワークの概略図である。
【図４】６サブフレームを含むダウンリンクフレームの概略図である。
【図５】ＲＲＣ接続セットアップ中でのＲＮＴＩ割当を示す簡略化されたコールフローである。
【図６】本発明の実施形態によるスーパーフレームの概略図である。
【図７】本発明の他の実施形態によるスーパーフレームの概略図である。
【図８ａ】ＲＮＴＩおよびショートＩＤのマッピングまたは対応関係の例である。
【図８ｂ】ＲＮＴＩおよびショートＩＤのマッピングまたは対応関係の例である。
【図８ｃ】ＲＮＴＩおよびショートＩＤのマッピングまたは対応関係の例である。
【図９】ＲＮＴＩからショートＩＤへのダウンリンクメッセージ変換プロセスの概略図である。
【図１０】本発明のさらなる実施形態による３サブフレームを含むスーパーフレームの例である。
【発明を実施するための形態】
【００１５】
本発明の実施形態は、３ＧＰＰ  ＬＴＥ（Long  Term  Evolution）標準に従って動作する移動体通信ネットワークを使用する実装を参照しつつ、説明されるであろう。図１は、ＬＴＥネットワークの例示的なアーキテクチャを提供する。図１に示されるように、及び従来の移動体通信ネットワークのように、移動体通信装置（ＵＥまたは端末とも呼ばれる）１は、ＬＴＥにおいてエンハンストノードＢ（ｅＮｏｄｅＢ）と呼ばれる基地局２へのデータ及び基地局２からのデータを伝達するように構成される。無線アクセスインターフェースを介してデータを送信／受信するために、通信装置１は、それぞれ、送信機／受信機部３を含む。
【００１６】
基地局又はｅＮｏｄｅＢ２は、サービングゲートウェイ（Ｓ−ＧＷ）６に接続される。Ｓ−ＧＷ６は、通信装置１が移動体通信ネットワークの全体にわたりローミングする場合に当該通信装置１への移動体通信サービスのルーティング及び管理を実行するように構成される。移動性管理及び接続性を維持するために、移動性管理エンティティ（ＭＭＥ：mobility  management  entity）８は、ホーム加入者サーバ（ＨＳＳ：home  subscriber  server）１０に記憶される加入者情報を使用して通信装置１とのエンハンストパケットサービス（ＥＰＳ）接続を管理する。他のコアネットワークコンポーネントは、ポリシー課金及びリソース機能（ＰＣＲＦ：policy  charging  and  resource  function）１２と、インターネットネットワーク１６及び最終的に外部のサーバ２０に接続するパケットデータゲートウェイ（Ｐ−ＧＷ）１４とを含む。ＬＴＥアーキテクチャについてのさらなる情報は、Holma  H.及びToskala  A.著  ”LTE  for  UMTS  OFDN  and  SC-FDMA  based  radio  access”と題された書物の２５頁以降から収集され得る。
【００１７】
以下の説明では、ＬＴＥ／ＳＡＥの用語及び名称が使用される。しかし、本技術の実施形態は、ＵＭＴＳ、及びＧＰＲＳコアネットワークを伴うＧＥＲＡＮ等の他の移動体通信システムに適用されることが可能である。
【００１８】
ＬＴＥおよびＲＮＴＩ割当
ＬＴＥ標準によれば、アップリンクおよびダウンリンクの物理チャネルが通信端末に永久的に割り当てられるわけでなく、通信はパケット交換形式で行われる。データ伝送のためのアップリンクおよびダウンリンクのいずれの通信リソースも全ての通信装置の間で共有される。アップリンクデータはＰＵＳＣＨ（physical  up-link  shared  channels）で送信される一方、移動通信端末へのダウンリンクデータはＰＤＳＣＨ（physical  down-link  shared  channels）で送信される。アップリンクおよびダウンリンクでのリソースの割当は、ＰＤＣＣＨ（physical  sown-link  control  channel）を用いてｅＮｏｄｅＢにより管理される。データが特定の移動通信装置に送信されるべきである場合、ｅＮｏｄｅＢは全ての移動通信端末が受信するダウンリンク制御チャネルでメッセージを送信する。当該データが送信されるべき移動端末は、ＲＮＴＩ（Radio  Network  Temporary  Identifier）と呼ばれる識別子を用いて識別される。移動通信端末へ、または移動通信端末からデータが通信される通信セッションの関連段階にある移動通信端末に割り当てられる多様なタイプのＲＮＴＩが存在する。このため、ｅＮｏｄｅＢは、ダウンリンクでデータを受信すべき移動通信端末（または複数の移動通信端末）のＲＮＴＩおよびダウンリンク共有チャネルで移動通信端末に割り当てられているダウンリンク通信リソースの指示情報（indication）を提供するメッセージをＰＤＣＣＨで送信する。ＬＴＥにおいては、ＲＮＴＩは、例えばダウンリンクデータをある特定の移動通信装置にのみ送信するために用いられるＣ−ＲＮＴＩのように移動通信端末をユニークに示すか、セル内の全ての移動通信装置を示す。例えば、ＳＩ−ＲＮＴＩはセル内の全ての移動通信装置にダウンリンクデータを送信するために用いられる。
【００１９】
ＰＤＳＣＨおよびＰＤＣＣＨのダウンリンク配置の例は図２に示される。サブフレーム１０２のＰＤＣＣＨ領域１０７においては、０または１以上のＰＤＣＣＨが０または１以上の端末に送信される。ＰＤＳＣＨ領域１０８においては、０または１以上のＰＤＳＣＨが、０または１以上の端末に、ＰＤＣＣＨ領域１０７内のＰＤＣＣＨで送信されたリソース割当てメッセージに基づいて送信される。上述したように、移動通信端末は、基地局またはｅＮｏｄｅＢ２を介して、アップリンクおよびダウンリンクの共有通信リソースを用いて通信するように設計される。このため、図３に示したように、複数の移動通信端末１がｅＮｏｄｅＢ２を介して通信を行う。このため、図３は、ｅＮｏｄｅＢ２によりサービスが提供されるセル内で動作する移動通信端末のグループの単純化された表現を提供する。移動通信端末は、基地局からデータを受信するためにダウンリンク共有チャネルのリソースが割り当てられるべきことが理解される。
【００２０】
図２により提供されるダウンリンクチャネルのイラストレーションはやや簡略化された形態であることに理解されたい。ＬＴＥ標準に従う物理ダウンリンクフレームは図４において示される。同様に、図４はやや簡略化された形態であり、例えば、ＬＴＥフレームは通常１０サブフレームを含むが、図４のダウンリンクフレームには６サブフレームのみが示されている。図４において、ＰＤＣＣＨは、１〜４シンボルを横断して全ての周波数帯に広がるリソースゾーン内のいくつかの時間および周波数リソースを占める。ここで、時間および周波数リソースは通常そのゾーン内で所定のアルゴリズムに従って割り当てられる。より高いＬＴＥ周波数バンド幅については、ＰＤＣＣＨ領域は１〜３シンボル幅であり、このため、「１〜４シンボルを横断して」はＬＴＥシステム周波数バンド幅の複数の実装の一例を示す。
【００２１】
一方、ＰＤＳＣＨは、ＰＤＣＣＨを介して割り当てられた複数の時間および周波数リソースから構成される。実際には、ＰＤＣＣＨは、各移動通信装置がそのＲＮＴＩでアドレスを指定されるリソース割当てを移動通信装置に提供する。そのため、移動通信装置は、ＲＮＴＩに基づき、自身のデータ受信のためにデコードすべきリソース割当てを知ることができる。そのデータは、その移動通信装置のみのためか、セル内の全ての移動通信装置のためのデータであり得る。
【００２２】
図５に、ダウンリンクおよびアップリンクでリソースを割り当てるために必要とされるメッセージ交換を示すメッセージシーケンスフローが示される。図５において、ｅＮｏｄｅＢ２と接続を確立する際に、メッセージをｅＮｏｄｅＢ２に送信し、およびｅＮｏｄｅＢ２からメッセージを受信する端末１が示される。第１のメッセージＭ１は、ＲＡＣＨプリアンブルを含むＲＡＣＨメッセージからなる、端末１からｅＮｏｄｅＢ２へのメッセージである。ＲＡＣＨプリアンブルから、ＲＡ−ＲＮＴＩ（Ｒａｎｄｏｍ  Ａｃｃｅｓｓ  ＲＮＴＩ）が識別される。そして、ｅＮｏｄｅＢ２は、ＲＡＣＨプリアンブルから識別されるＲＡ−ＲＮＴＩに送られ、特にＴ−ＲＮＴＩ（Ｔｅｍｐｏｒａｒｙ  ＲＮＴＩ）およびアップリンクリソース割当てからなるメッセージＭ２により端末１に応答する。
【００２３】
端末１は、メッセージＭ３をメッセージＭ２により示されたアップリンクリソース割当てを用いて送信される。ここで、そのメッセージは、メッセージＭ２において示されるＴ−ＲＮＴＩと共に端末からの到来として送信されるＲＲＣコネクション要求である。ｅＮｏｄｅＢ２は、ＲＲＣコネクションセットアップメッセージＭ４でメッセージＭ３に応答する。Ｍ４は、メッセージＭ２およびＭ３のＴ−ＲＮＴＩに送られ、ＲＲＣコネクションのデュレーション（ｄｕｒａｔｉｏｎ）のために端末１が用いるＣ−ＲＮＴＩを含む。実際には、Ｃ−ＲＮＴＩはＴ−ＲＮＴＩと同一であることが多い。すなわち、一度ＲＲＣコネクションセットアップが成功して完了すれば、Ｔ−ＲＮＴＩはＣ−ＲＮＴＩとなる。
【００２４】
図５に、一度ＲＲＣコネクションが成功して確立してから端末１がデータを受信する一般的な方法が示される。端末１は、図４に示したタイプのダウンリンク共有チャネル、すなわちＰＤＣＣＨおよびＰＤＳＣＨを受信することで、ダウンリンクデータを受信する。ＰＤＣＣＨは特にＰＤＳＣＨにおけるリソース割当てを示し、ＲＮＴＩはその割当の送り先である端末を示す。例えば、Ｃ−ＲＮＴＩｘを有する端末にリソース割当てＡｘが与えられ、Ｃ−ＲＮＴＩｙを有する端末にリソース割当てＡｙおよびシステム情報が与えられ、ＳＩ−ＲＮＴＩで識別されるものにレソース割当Ａｓｉが与えられる。そして、ＰＤＣＣｈのＲＮＴＩに基づき、端末１はＰＤＳＣＨのいずれのリソース要路をデコードすべきかを知る。端末１がＣ−ＲＮＴＩｘを有する場合、端末１は割当Ａｘに割り当てられた（この端末のみに送られた）データ、およびＡｓｉに割り当てられた（セル内の全ての端末に送信された）データをデコードする。端末１は、例えばＡｙに割り当てられたデータはデコードしない。Ｃ−ＲＮＴＩｙはそのデータが端末１のためのものであることを示さないからである。この例から理解されるように、端末１はいくつかのＲＮＴＩ、この例ではＣ−ＲＮＴＩｘおよびＳＩ−ＲＮＴＩについてデコードする。他の例として、端末１は、それを示す２以上のＣ−ＲＮＴＩを有してもよい。例えば、端末１がＣ−ＲＮＴＩｘおよびＣ−ＲＮＴＩｙにより識別される場合、割当てＡｘおよびＡｙのデータは同一の端末１のためのものであり得る。情報のために、添付書類においてＲＮＴＩタイプの多様な例が提供される。
【００２５】
ＰＤＣＣＨ内の割当およびＰＤＣＣＨで送信されるＲＮＴＩに基づいて各端末が自身のデータを見つける場所を知る場合において、このＲＮＴＩ識別システムを用い、いくつかの端末の間でダウンリンクキャリアを容易に共有することができる。
【００２６】
上記から理解されるように、リソースの割当を受信するために、移動通信装置は明示的に自身のＲＮＴＩの１つを使用する必要がある。ＭＴＣまたは専用のメッセージネットワークでは、ＭＴＣタイプ装置として動作する端末はデータメッセージを送信するために複数のシグナリングメッセージを通信する必要があり得る。例えば、一例としてメータ示度を送信するために、端末は、基地局を介して、および／または、基地局に、以下を含み得る一連のメッセージを交換することが求められる。
−ＲＲＣコネクション
−遠隔認証サーバを介する認証
−メータ読取サーバとのセッション開始
−データ伝送に関するメッセージ交換を含むメータ読取データ伝送
−メータ読取サーバとのセッション切断（Session  with  meter  reading  server  tear  down）
−ＲＲＣコネクション切断
【００２７】
ＬＴＥネットワークにおいては、これらのメッセージは、割当メッセージを端末に送信するＰＤＣＣＨを用いて共有チャネル上にスケジュールされる。ＬＴＥ標準は、各サブフレームの始まりの制御領域においてＰＤＣＣＨが送信されることを定義する。ここで、制御領域は１〜４シンボル長の間である。制御領域のサイズは限られているので、ＰＤＣＣＨメッセージに割り当てられるリソースが限られる。このため、例えば短いシグナリングメッセージのような送信される小さなメッセージが多く存在する場合、システムキャパシティは、ＬＴＥネットワークにおいて利用可能なＰＤＣＣＨの数であろう利用可能なシグナリングリソースの量により制限される。従って、端末に送信することが可能なデータの量は、この場合実際のダウンリンクキャパシティ（例えば、ＰＤＳＣＨの数）でなく、ＰＤＣＣＨを用いてそれらのＰＤＳＣＨをシグナルするキャパシティにより制限される。
【００２８】
本技術によれば、データ通信のための移動通信装置への割当メッセージのサイズを減少するための設計（arrangement）が提供される。その結果、例えばＰＤＣＣＨを介して通信される割当メッセージの数が増加し、そして、データ送信のために端末に割り当てられるリソースを増加させることが可能である。すなわち、それによりサブフレーム当たりのＰＤＣＣＨの数を増加させることが可能である。
【００２９】
スーパーフレームフォーマット
本技術によれば、スーパーフレーム構造が提供される。そのスーパーフレームは、複数のダウンリンクサブフレームを備え、ここでは、いつくかの端末にスーパーフレーム内で例えばダウンリンク共有チャネルでの通信リソースを割当てるために用いられるショート識別子が提供される。
【００３０】
一例において、スーパーフレームは１０サブフレーム、１０ｍ秒であるＬＴＥフレームのデュレーションであり得て、他の例において、スーパーフレームはＬＴＥフレームデュレーションの倍数であり得る。図６は、スーパーフレームを示すダウンリンクフレーム構造の配置例を提供し、ここでは、スーパーフレームは１０サブフレーム長である。図６において、第１のフレーム構造１０１は複数のサブフレーム１０で構成されることが示される。スーパーフレーム１０４の拡張フォームでは、スーパーフレームが複数のサブフレームからなることが分かる。各サブフレームはＰＤＣＣＨおよびＰＤＳＣＨを含み、ＰＤＣＣＨはＰＤＣＣＨ領域１０７に見られ、ＰＤＳＣＨはＰＤＳＣＨ領域１０８に見られる。
【００３１】
本技術によれば、スーパーフレームのサブフレームにおいて、ＲＮＴＩおよびショート識別子（ショートＩＤ）のマッピングが端末に提供される。図６の例では、スーパーフレーム１０４は時間領域の１フレームからなり、ＲＮＴＩのセットとショートＩＤのセットの間の相互関係または対応関係１０６は、スーパーフレームの第１サブフレームで通信される。そのような対応関係の一例は、詳細に後述される図８ａ〜図８ｃにおいて与えられる。スーパーフレームのこのサブフレームおよび次のサブフレームにおいては、端末は自身のダウンリンクリソース割当てを自身のショートＩＤを用いて識別することができる。また、端末は、なおも長いＲＮＴＩを用いることは可能であるが、可能であるならば、ショートＩＤを用いることが有利である。それは、以下に説明するように、例えばＰＤＣＣＨのような割当メッセージにために用いられるリソースの量を減少させるからである。
【００３２】
ＬＴＥでは、ＲＮＴＩは慣例的にＰＤＣＣＨ伝送のＣＲＣ（cyclic  redundancy  check  code）のマスクのために用いられていた。ここで、ＲＮＴＩおよびＰＤＣＣＨ＿ＣＲＣは共に１６ビット長である。これは、ＰＤＣＣＨ＿ＣＲＣをＲＮＴＩでスクランブリングすることにより行われる。従って、ＰＤＣＣＨ的割当メッセージが送られた場合、複数の端末にリソースを割当てるＰＤＣＣＨにおいて、例えば８ビットであるショートＩＤを、例えば８ビットであるショートＣＲＣ、または、一緒に符号化された（jointly  coded）複数の端末のショートＩＤをマスクするために用いられる。ここで、慣例的なフォーマットのＰＤＣＣＨについては１６ビットのＣＲＣが用いられる。従って、ショート割当メッセージが用いられ得て、そして、用いられ得るショートＩＤの数はＬＴＥ標準により提供される可能性のあるＲＮＴＩの数（２１６）よりも少ないので、ショートＩＤは、例えば４ビットのように、ＲＮＴＩよりも非常に短く選択することができる。この例の状況では、割当メッセージを１２ビット減少させられるので、ＰＤＣＣＨに適用されるフォーマットに応じて、サイズにおいて２５％〜３４％の縮小を提供できる。通常、割当メッセージは固定サイズでなく、識別子のサイズの１６から４への縮小はメッセージサイズを減少させ、他の変化ももたらし得る。
【００３３】
図１０において、３サブフレームスーパーフレーム１０４を有するさらなる例が示される。第１サブフレームは、３つの異なる端末に対応する３つのＣ−ＲＮＴＩとショートＩＤとの間の対応関係テーブル１０６を含む。この例では、このメッセージは他のダウンリンクデータと同様に、すなわち、ＰＤＣＣＨが指し示すＰＤＳＣＨ（ＰＤＳＣＨ−１）において送信される。他の例では、例えばＰＢＣＨのように、対応関係情報は他の方法により通信され得る。図１０においては、ＰＤＳＣＨ−１を割当てるＰＤＣＣＨは、セル内の全ての端末が対応関係情報１０６をデコードするようにＣＩ−ＲＮＴＩ（correspondence  information  RNTI）を含む。ＣＩ−ＲＮＴＩは、複数のＵＥで共有されるまたは共通のＲＮＴＩであり、サブフレームのＰＤＳＣＨにおいて対応関係情報が送信されることを示す。同じサブフレームはまたＣ−ＲＮＴＩ「６１４６５」（ＵＥ６１４６５）を有する端末についてのデータのＰＤＳＣＨ−２を含む。ここで、ＰＤＳＣＨ−２は、情報１０６により、ＰＤＣＣＨまたはショートＩＤ「１」を用いるＰＤＣＣＨ的メッセージで割り当てられる。使用において、ＵＥ６１４６５は、第１サブフレームを受信し、ショートＩＤ「１」が自身のＣ−ＲＮＴＩを参照することを知るようにＰＤＳＣＨ−１をデコードし（セル内の全ての端末と同様に）、ＰＤＳＣＨ−２がショートＩＤ「１」についてＰＤＣＣＨと同様にしてＵＥ６１４６５のためのものであることを識別し、ＰＤＳＣＨ−２をデコードする。ここで明らかなように、例えばＰＤＣＣＨおよびＰＤＣＣＨ的メッセージのような割当メッセージは、スーパーフレーム内でショートＩＤを用いることにより実質的にサイズを減少させることができる。従って、ＰＤＣＣＨ領域により多くの割当メッセージを含めることができ、必要に応じてより多くのＰＤＳＣＨを割当てることが可能となる。
【００３４】
本技術によれば、ＳＩは典型的には周期的に読むだけなのでＣＩ−ＲＮＴＩが提供される。このため、「ＣＩ−ＲＮＴＩ」と称される共有されるまたは共通のＲＮＴＩがＳＩ−ＲＮＴＩに代えて用いられる。
【００３５】
図１０に示したように、次のおよび第２のサブフレームでは、新たに導入されたショートＩＤおよびレガシーＲＮＴＩの双方が同一のサブフレームで用いられ得る。この例では、ＵＥ０５７０５が、ＰＤＳＣＨ−１がデコードされるべきことを自身のＣ−ＲＮＴＩ「０５７０５」に基づいて識別し、ＵＥ６１４６５が、ＰＤＳＣＨ−２がデコードされるべきことを自身のショートＩＤ「１」に基づいて識別する。従って、ショートＩＤを用いるショート割当メッセージが用いられ得る一方、従来のＬＴＥとの下位互換性が保証される。
【００３６】
図１０におけるスーパーフレームの最後のサブフレームは、サブフレーム内でショートＩＤのみが用いられる例を示す。また、スーパーフレームは、その全てのサブフレームにおいてショートＩＤに基づく割当のみを含むように設計されてもよい。
【００３７】
例として図７に概略的に示されるように、ｅＮｏｄｅＢ２は、例えば各スーパーフレームの第１サブフレームで送信される対応関係情報１０６を各々が含む２つのスーパーフレームにおいてダウンリンクデータを送信している。ここで、各スーパーフレームのデータは対応関係情報１０６に挙げられた端末のみのためのものである。対応関係情報１０６は１または２以上のスーパーフレームについてのＲＮＴＩとショートＩＤとの間の明示的なマッピングを提供し、または、過去に割り当てられたＲＮＴＩとショートＩＤとの間の半永久的な端末グループを示し得る。これは、対応関係情報が単純に次のスーパーフレームで割り当てられているグループＡまたはグループＢを示し得るからである。グループＡは、現スーパーフレームのいくらかの時間前に定義され、グループＡの各端末は、自身の完全なＲＮＴＩとショートＩＤを知っている。グループは端末のタイプに従って決定される。例えば、グループＢは、「スマートメータ」のような特定のタイプの端末に対応する。図７に示したように、第１グループ１１０は４つの通信装置で構成され、第１スーパーフレームでデータを受信する。グループ１１０は、１以上のスーパーフレーム前に、ＲＮＴＩとショートＩＤとの間の半永久的なマッピングを割当てられ得る。例えば、グループ１１０の端末は、ＲＲＣコネクションセットアップでＲＮＴＩとショートＩＤのマッピングを割当てられ得る。第２グループは５つの通信装置からなり、第２スーパーフレームにおいてデータを受信する。グループ１１２の端末も同様に、１以上のスーパーフレーム前に、ＲＮＴＩとショートＩＤとの間のマッピングを割当てられ得る。表現の簡易のために、２つの完全に区分されたグループとして２つのグループを示したが、ある端末は双方のグループに属してもよい。このため、対応関係情報１０６はグループ識別子（group  
identity）（可能性としては他のパラメータに加えて）および、対応関係情報においてシグナルされるグループに関するスーパーフレームで送信されるショートＩＤを含み得る。ある例では、対応関係情報は、グループ識別子のみを有してもよいし、他のパラメータを含んでもよい。
【００３８】
グループを形成する時および場合に端末をグループに割り当てる多様な方法が存在する。
−装置のタイプによる。例えば、スマートメータは区分されたグループに分類され一方、自動販売機は別のグループに分類される。
−ＲＮＴＩによる。例えば、ＲＮＴＩの最上位「Ｎ」ビットはグループ同一性を定義する一方、「１６−ｎ」最下位ビットはグループ内の端末の同一性を定義する。
−グループへの明示的な割り当てによる。例えば、コールセットアップで基地局が端末を特定のグループに割り当てる。この割り当ては、極めて異なるものを含み得る。例えば、グループ内にＲＮＴＩおよび装置タイプが混在し得る。
−事前に決定された例えばＨＬＲ／ＨＳＳにおいて端末プロフィール内で提供されるグループＩＤによる。
−端末からの想定されるトラフィック量および／またはタイプによる。
【００３９】
概して、対応関係情報１０６内でどのＲＮＴＩにショートＩＤが与えられるべきかを決定するために同様の基準が用いられ得る。また、対応関係情報はＲＮＴＩにショートＩＤをマッチ（match）させる。例えば、ある端末が２つのＣ−ＲＮＴＩを有しているが、例えばショートＩＤが与えられる関連ＲＮＴＩのみであると考えられる場合、１つのＲＮＴＩにのみショートＩＤが与えられることが決定され得る。他の例では、ある端末固有ＲＮＴＩがショートＩＤを与えられた場合、同じ端末を識別する他の全ての端末固有ＲＮＴＩにも、与えられている第１のショートＩＤと同一または異なるショートＩＤが与えられることが決定され得る。
【００４０】
また、ＲＮＴＩとショートＩＤのいくつかの適切な組み合わせが提供される。そのうちのいくつかが特に図８ｃに示される。この例では、ＵＥ６１４６５およびＵＥ００２３７は、ショートＩＤ「１」に送信されたいかなるデータも双方の端末によりデコードされるように、同一のショートＩＤ「１」が与えられている。これは、例えば新たな値段リストが幾つかの自動販売機に送られる場合に有効になり得る。同じセル内の自動販売機は、それらがそのショートＩＤに送られたメッセージの新たな値段リストを全て受信するように、同一のショートＩＤを与えられ得る。図８ｃのテーブルを用いることは、サブフレームで送信され得るＰＤＣＣＨまたはＰＤＣＣＨ的メッセージの数の増加に寄与するだけでなく、ｎつのＰＤＣＣＨ（およびｎつの対応するロングまたはショートＰＤＣＣＨ）を送るのでなく、ただ一つのＰＤＳＣＨで同じデータをｎつの端末に送り得るので、ＰＤＳＣＨデータに利用可能なリソースを増加させることができる。
【００４１】
どのＲＮＴＩにもショートＩＤが割り当てられ得るので、特定のＲＮＴＩにもショートＩＤが割り当てられ得る。例えば、図８において、ＲＮＴＩ６５５３５はショートＩＤを与えられており、ここで、この特定のＲＮＴＩ値はＬＴＥにおいてＳＩ−ＲＮＴＩに対応する。例えば、ｅＮｏｄｅＢが次のサブフレームでセル内の全ての端末に幾つかのシステム情報メッセージを送信する必要があることが見込まれる場合、次のサブフレームで送信することが見込まれるシステム情報メッセージのための割当メッセージのサイズを減少するために、ＳＩ−ＲＮＴＩに対応するショートＩＤを与えることが有効であり得る。
【００４２】
また、図８ａおよび８ｂは、明示的な割り当て（図８ａ）、または例えば対応するショートＩＤを推測するためのリストにおけるＲＮＴＩの位置を用いる暗示的な割り当て（図８ｂ）を示す。このような暗示的な割り当ては、例えば、単にショートＩＤを与えられているＲＮＴＩのリストを送ることにより、対応関係情報１０６のサイズを減少させる助けとなり得る。
【００４３】
図９は、上述したスーパーフレーム構造およびショートＩＤを用いる通信を実行する移動無線ネットワークおよび端末の動作の実例的な説明を提供する。図９においては、ｅＮｏｄｅＢ２と通信する３つの端末、ＵＥ６１４６５、ＵＥ１０９８３およびＵＥ００２３７が示されている。また、サービングゲートウェイ６が示されている。ｅＮｏｄｅＢ２は、端末ＵＥ６１４６５に送信されるべきメッセージをサービングゲートウェイ６から受信する。ダウンリンクでスーパーフレームが提供されている場合、またはそれをダウンリンクで提供することが決定されている場合、ｅＮｏｄｅＢはＲＮＴＩ６１４６５をショートＩＤ「１」に変換し、スーパーフレームのダウンリンクサブフレーム内で、フルサイズのＣ−ＲＮＴＩでフルサイズのＰＤＣＣＨを挿入するのでなく、ショートＩＤを用いてＰＤＣＣＨを挿入する。
【００４４】
スーパーフレーム長は、スーパーフレームごとに変化してもよい。例えば、第１スーパーフレームは１０サブフレーム長である一方、次のスーパーフレームは８サブフレーム長であってもよい。また、スーパーフレームが固定長である場合、ショートＩＤは、スーパーフレーム期間について割り当てられることが意図される。スーパーフレームが、可能性としては定期的な短い時間期間に用いられることが当初意図されていたとしても、スーパーフレームがそれ以上必要なくなるまで提供されるという仮定において、スーパーフレームは不確定長のために提供されてもよい。この場合、対応関係情報は、スーパーフレームが提供される間に１回または２回以上更新されてもよい。このような更新は、ショートＩＤの利用がダウンリンクの現在の使用により対応するように調整され得るような柔軟性を提供し、端末は更新を受信した場合にＲＮＴＩとショートＩＤの最新の対応関係を保持することができる。
【００４５】
スーパーフレームにおいて送信される対応関係情報１０６は、例えば無線通信チャネルを介しる送信中に起きるエラーの結果として、１以上の端末で受信されないことがあり得る。ｅＮｏｄｅＢ２は、端末１により対応関係情報１０６が受信されているか否かの確認を、例えばショートＩＤを用いてその端末に送信された１または２以上のＰＤＣＣＨがその端末によって認識されたかを判断するアルゴリズムの動作により試み得る。端末が対応関係情報を受信していないことをアルゴリズムが示す場合、ｅＮｏｄｅＢは、対応関係情報を送信するか、スーパーフレームの残り期間について端末にその完全なＲＮＴＩを用いるスケジューリングをし得る。
【００４６】
スーパーフレーム長が不確定長である場合、スーパーフレームがいずれは終了する場合、ｅＮｏｄｅＢは、スーパーフレーム内でシグナリングされた対応関係情報内で示される端末からＡＣＫ（acknowledgement）を要求してもよい。これらのＡＣＫは、隣接するスーパーフレームで再利用されるショートＩＤ間の曖昧さを解消し得る。または、あるスーパーフレームで使用されるショートＩＤのセットは、連続するフレームで使用されるショートＩＤのセットと重なりが無く（disjoint）てもよい。これは、端末が複数のスーパーフレーム終了指示を受信できるので、曖昧さを低減できる。
【００４７】
ある実施形態では、スーパーフレームタイミングおよび期間は、１または２以上の端末または端末のグループのページングサイクルまたはＤＲＸサイクルと一致してもよい。
【００４８】
本技術のさらなる例示的な態様および特徴は以下の番号が付された項目において確認される。
【００４９】
１．移動通信ネットワークにおいて用いられる移動端末であって、
移動通信ネットワークの基地局へ、および／または基地局からデータを通信するための無線アクセスインターフェースを介してデータを送信および受信する送信機および受信機を備え、
前記無線アクセスインターフェースは、
前記移動通信ネットワークへまたは前記移動通信ネットワークからデータを通信するための共有チャネルと、ここで、前記共有チャネルは、前記基地局のスケジューラによって前記移動端末に割り当てられる複数の通信リソースに時間において分けられ、
リソース割当てメッセージを前記基地局から受信するための共有制御チャネルと、を提供し、
前記移動端末は、
前記移動通信ネットワークにより前記移動端末に割り当てられた識別番号に関連するショート識別番号を前記移動端末に提供する制御情報を受信し、前記ショート識別番号は前記共有チャネルの通信リソースの複数のユニットからなるスーパーフレームの１つについて前記移動端末に割り当てられ、前記ショート識別番号は前記移動端末のグループの１メンバーとして前記移動端末に割り当てられ、
前記移動端末を識別し、前記スーパーフレームの１つにおいて前記移動通信端末に前記通信リソースのユニットを割当てるためのショート識別番号を含むリソース割当てメッセージを受信する、ように構成される、移動端末。
２．前記共有チャネル上で前記通信リソースのユニットの割当を提供する前記リソース割当てメッセージを前記移動通信ネットワークから前記移動端末が受信し、前記リソース割当てメッセージは、前記スーパーフレームの１つについて前記移動端末の識別番号に代えて前記ショート識別番号を含むように構成される、項目１に記載の移動端末。
３．前記制御情報は、前記移動通信ネットワークにより前記移動端末に割り当てられた前記識別番号に関連する、前記移動端末に前記通信リソースのユニットを割当てるために用いられるショート識別番号を前記移動端末に提供し、
前記制御情報は第１のグループのメンバーとしての前記移動端末に提供され、
前記制御情報は、前記第１のグループの複数の移動端末の各々に第１のスーパーフレームで用いるためのショート識別番号の割当を提供し、
前記制御情報は、第２のグループの複数の移動端末の各々に、前記移動通信ネットワークにより前記移動端末に割り当てられた前記識別番号に関連する、第２のスーパーフレームについて前記第２のグループにおける移動端末に通信リソースのユニットを割当てるために用いられるショート識別番号を提供する、項目２に記載の移動端末。
４．前記第１のスーパーフレームについて前記移動端末に割り当てられる前記ショート識別番号は、前記第２のスーパーフレームにおける端末の前記第２のグループから異なる移動端末を識別するために割り当てられる、項目３に記載の移動端末。
５．前記制御情報は、前記スーパーフレームに含まれる前記通信リソースのユニットの指示情報を含む、項目１〜４のいずれか一項に記載の移動端末。
６．前記指示情報は、連続するスーパーフレームに含まれる通信リソースのユニットの数を提供し、前記スーパーフレームの１つの最初のユニットを示す、項目５に記載の移動端末。
７．前記移動通信ネットワークは、前記識別子に対応する１または２以上の端末の少なくともプロフィールに基づいて前記識別番号を選択する、項目１〜６のいずれか一項に記載の移動端末。
８．前記識別子に対応する１または２以上の端末から見込まれる少なくともトラフィック量および／またはタイプに基づいて前記移動端末の前記識別番号が選択される、項目７に記載の移動端末。
９．前記スーパーフレームのタイミングおよび前記スーパーフレーム期間は前記移動端末のページングサイクルまたは間欠受信サイクルと一致する、項目１〜８のいずれか一項に記載の移動端末。
１０．前記識別番号はＲＮＴＩである、項目１〜９のいずれか一項に記載の移動端末。
１１．前記制御情報は、識別子のセットとショート識別番号のセットの間の対応関係を提供し、スーパーフレーム単位で更新される、項目１〜１０のいずれか一項に記載の移動端末。
１２．移動端末を用いて通信する方法であって、前記移動端末は、移動通信ネットワークの基地局へ、および／または基地局からデータを通信するための無線アクセスインターフェースを介してデータを送信および受信する送信機および受信機を備え、前記無線アクセスインターフェースは、前記移動通信ネットワークへまたは前記移動通信ネットワークからデータを通信するための共有チャネルと、ここで、前記共有チャネルは、前記基地局のスケジューラによって前記移動端末に割り当てられる複数の通信リソースに時間において分けられ、リソース割当てメッセージを前記基地局から受信するための共有制御チャネルと、を提供し、
前記方法は、
前記移動通信ネットワークにより前記移動端末に割り当てられた識別番号に関連するショート識別番号を前記移動端末に提供する制御情報を受信することと、前記ショート識別番号は前記共有チャネルの通信リソースの複数のユニットからなるスーパーフレームの１つについて前記移動端末に割り当てられ、前記ショート識別番号は前記移動端末のグループの１メンバーとして前記移動端末に割り当てられ、
前記移動端末を識別し、前記スーパーフレームの１つにおいて前記移動通信端末に前記通信リソースのユニットを割当てるためのショート識別番号を含むリソース割当てメッセージを受信することと、を含む、方法。
１３．前記リソース割当てメッセージを受信することは、前記共有チャネル上で前記通信リソースのユニットの割当を提供する前記リソース割当てメッセージを前記移動通信ネットワークから前記移動端末が受信することを含み、前記リソース割当てメッセージは、前記スーパーフレームの１つについて前記移動端末の識別番号に代えて前記ショート識別番号を含む、項目１２に記載の方法。
１４．前記制御情報は、前記移動通信ネットワークにより前記移動端末に割り当てられた前記識別番号に関連する、前記移動端末に前記通信リソースのユニットを割当てるために用いられるショート識別番号を前記移動端末に提供し、
前記制御情報は第１のグループのメンバーとしての前記移動端末に提供され、
前記制御情報は、前記第１のグループの複数の移動端末の各々に第１のスーパーフレームで用いるためのショート識別番号の割当を提供し、
前記制御情報は、第２のグループの複数の移動端末の各々に、前記移動通信ネットワークにより前記移動端末に割り当てられた前記識別番号に関連する、第２のスーパーフレームについて前記第２のグループにおける移動端末に通信リソースのユニットを割当てるために用いられるショート識別番号を提供する、項目１３に記載の方法。
【００５０】
本発明のさらなる多様な態様および特徴は添付のクレームにおいて明らかにされる。上述した実施形態の本発明の範囲から離れない多様な変形が成され得る。例えば、本発明の実施形態は、ダウンリンク通信を提供する、ＬＴＥまたは３ＧＰＰネットワークに限られない、他のタイプの移動通信ネットワークに適用される。
【００５１】
付録
0006010049.tif 000002
【図１】
0006010049.tif 000003
【図２】
0006010049.tif 000004
【図３】
0006010049.tif 000005
【図４】
0006010049.tif 000006
【図５】
0006010049.tif 000007
【図６】
0006010049.tif 000008
【図７】
0006010049.tif 000009
【図８ａ】
0006010049.tif 000010
【図８ｂ】
0006010049.tif 000011
【図８ｃ】
0006010049.tif 000012
【図９】
0006010049.tif 000013
【図１０】
0006010049.tif 000014